(57)【要約】【課題】  表枠の不正開放を阻止する機構を備えた遊技機を提供する。【解決手段】  中枠の自由端側背面には支持板１６が立設した取り付け板１５が取り付けられている。ツマミ５１を上方に動かすと、表枠施錠杆押部５２が表枠施錠杆２０の突出部２６を押し下げ表枠用鉤部材２１ａ，ｂが下方に移動し、表枠が中枠から開く。しかし、中枠と外枠が閉じている際に、回動部材６０がビス６９の下方にある場合には、ツマミ５１を上方に動かすと、押出部材５４が被押出部材６４を押し出して回動部材６０が回動し、停止部材６２が外枠の切り欠きの背面である阻止壁に当たり、回動部材６０及び操作部材５０の回動を阻止する。よって、表枠用鉤部材２１ａ，ｂと表枠の係合が解除されず、表枠は開かない。しかし、回動部材６０をビス６９の上方に係止すれば、ツマミ５１を上方に動かしても、押出部材５４は被押出部材６４に当たらず、何も外枠に当たらないので表枠は開く。【選択図】  図８
2005168591.tif 000002
【特許請求の範囲】
【請求項１】
遊技機本体を固定するための外枠と、前記外枠に対して開閉可能に軸支され、遊技機各部を制御する基板や遊技媒体が流下する遊技盤を保持する中枠と、前記外枠に対して開閉可能に軸支され、前記遊技盤を保護する表枠とを備えた遊技機において、
前記中枠の自由端側の背面に取り付けられた取り付け板と、
当該取り付け板から立設された支持板と、
当該支持板に沿って摺動可能に配設された表枠施錠杆とを備え、
前記支持板は、
当該支持板に平行に設けられ、回動可能に軸支され、一端に前記表枠施錠杵と当接する表枠施錠杆押部を有し、他端である操作端を回動させることにより前記表枠施錠杵を摺動させる操作部材を備え、
前記表枠施錠杆は、
前記取り付け板に設けられた開口部から表枠側に突出して前記表枠と係合する係合爪を設けた鉤部材を備え、
前記操作部材は、
回動可能に軸支された回動部材と、
当該回動部材を係止可能な係止部材とを備え、
前記外枠は、
前記回動部材が前記係止部材により係止されていない場合には、前記外枠と前記中枠とが施錠され、前記操作部材の回動により前記表枠施錠杵が前記鉤部材と前記表枠との係合を解除する方向へ移動された際に、前記回動部材が衝突し、前記回動部材及び前記操作部材の回動を阻止する回動阻止部を設けていることを特徴とする遊技機。
【請求項２】
前記操作部材は、前記係合爪側の一端に立設された押出部材を備え、
前記回動部材は、
前記係止部材により係止されていない場合に前記操作部材の前記操作端が回動されると、前記押出部材が当接する被押出部材と、
当該回動部材から立設された停止部材とを備え、
前記外枠は、前記回動阻止部として、前記外枠と前記中枠が施錠された際に、前記停止部材と対向する位置に切り欠きを備えており、前記回動部材が前記回動軸に係止されていない場合に、前記操作部材の前記操作端が回動されると、前記押出部材が前記被押出部材に接し、前記回動部材が回動され前記停止部材が前記切り欠きの背面に接するため、前記回動部材及び前記操作部材の回動が阻止されるため、前記鉤部材と前記表枠との係合を解除することができないことを特徴とする請求項１に記載の遊技機。
【発明の詳細な説明】
【技術分野】
【０００１】
本発明は遊技機に関し、詳細には、不正による表枠の開放を阻止する機構を備えた遊技機に関する。
【背景技術】
【０００２】
図１２は、従来の遊技機の一種であるパチンコ機１００の表枠１２及び中枠１１が開いた状態を前面から見た斜視図である。従来、遊技機としてのパチンコ機１００においては、図１２に示すように、遊技機設置島に固定するための外枠１０と、遊技盤や遊技の制御を行う各種基板等を保持する中枠１１と、遊技盤を保護するための表枠１２とが備えられており、中枠１１、表枠１２は外枠１０に対して正面視左側で軸支されている。そして、中枠１１の自由端側（軸支されている側の反対側）背面には、上下２つの外枠用鉤部材３１ａ，３１ｂが設けられており、それらは外枠係合部３９ａ，３９ｂにそれぞれ係合されている。また中枠１１の自由端側正面には上下２つの表枠用鉤部材２１ａ，２１ｂが設けられており、それらは表枠係合部２９ａ、２９ｂにそれぞれ係合されることにより、外枠１０、中枠１１、表枠１２は閉じられた状態となっている。尚、外枠用鉤部材３１ａ，３１ｂは中枠１１の背面に設けられた外枠施錠杆（図示外）に回動可能に軸支されており、表枠用鉤部材２１ａ、２１ｂは中枠１１の背面に設けられた表枠施錠杆（図示外）に回動可能に軸支されている。そして、鍵穴７５に鍵７６を挿し込み、右方向に鍵７６を回転させると、表枠用鉤部材２１ａ、２１ｂが下方向に回動して、表枠用鉤部材２１ａ、２１ｂと表枠係合部２９ａ、２９ｂとの係合がそれぞれ解除されて表枠１２は開くようになっている。また、鍵７６を左方向に回転させると、外枠用鉤部材３１ａ，３１ｂが下方向に回動して、外枠用鉤部材３１ａ，３１ｂと外枠係合部３９ａ，３９ｂとの係合がそれぞれ解除され、中枠１１が開かれる。
【０００３】
また、図１２に示す例では、下側の表枠用鉤部材２１ｂの中枠１１の背面側には、一端が手で操作可能な長さを有した操作部９０が設けられている。そして、この操作部９０を上方向に回動させると、表枠用鉤部材２１ｂは下方向に回動し、表枠施錠杆は上方へ移動し、表枠用鉤部材２１ａは下方向へ回動するようになっている。そして、表枠用鉤部材２１ａ，２１ｂと表枠係合部２９ａ，２９ｂとの係合がそれぞれ解除されて表枠１２が開くようになっている。また、表枠用鉤部と操作部とが表枠施錠杆と一体となっており、操作部を下方へ移動させると、表枠用鉤部材も下方へ移動し、表枠用鉤部材と表枠係合部との係合が解除されて表枠が開くような構造の遊技機もある（例えば、特許文献１）。このような図１２や特許文献１に示すような遊技機では、鍵を使用することなく、遊技機の背面から操作部を操作することにより、表枠を開放することができる。この操作部は、主に遊技機製造中に使用したり、遊技場係員や遊技機製造会社の係員が遊技場への遊技機設置後のメンテナンス時に使用するものである。
【特許文献１】特開２０００−２４５９４３号公報
【発明の開示】
【発明が解決しようとする課題】
【０００４】
しかしながら、遊技機の正面側において遊技機の上の空間から、先端部を物を引っ掛けたり押したりできるように加工した針金を侵入させ、遊技機の自由端側の隙間に沿って、針金を操作部の高さまで下ろしてゆき、針金を手前に引くことにより針金の先端を操作部に当て、操作部を引っ掛けたり、押したりして、操作部を操作して表枠用鉤部材を移動させ、表枠１２を開放するという不正行為が発生するという問題点がある。
【０００５】
本発明は、上記課題を解決するためになされたものであり、不正な表枠の開放を阻止する機構を備えた遊技機を提供することを目的とする。
【課題を解決するための手段】
【０００６】
上記課題を解決するため、請求項１に記載の遊技機は、遊技機本体を固定するための外枠と、前記外枠に対して開閉可能に軸支され、遊技機各部を制御する基板や遊技媒体が流下する遊技盤を保持する中枠と、前記外枠に対して開閉可能に軸支され、前記遊技盤を保護する表枠とを備えた遊技機において、前記中枠の自由端側の背面に取り付けられた取り付け板と、当該取り付け板から立設された支持板と、当該支持板に沿って摺動可能に配設された表枠施錠杆とを備え、前記支持板は、当該支持板に平行に設けられ、回動可能に軸支され、一端に前記表枠施錠杵と当接する表枠施錠杆押部を有し、他端である操作端を回動させることにより前記表枠施錠杵を摺動させる操作部材を備え、前記表枠施錠杆は、前記取り付け板に設けられた開口部から表枠側に突出して前記表枠と係合する係合爪を設けた鉤部材とを備え、前記操作部材は、回動可能に軸支された回動部材と、当該回動部材を係止可能な係止部材とを備え、前記外枠は、前記回動部材が前記係止部材により係止されていない場合には、前記外枠と前記中枠とが施錠され、前記操作部材の回動により前記表枠施錠杵が前記鉤部材と前記表枠との係合を解除する方向へ移動された際に、前記回動部材が衝突し、前記回動部材及び前記操作部材の回動を阻止する回動阻止部を設けている。
【０００７】
また、請求項２に係る発明の遊技機では、請求項１に記載の発明の構成に加えて、前記操作部材は、前記係合爪側の一端に立設された押出部材を備え、前記回動部材は、前記係止部材により係止されていない場合に前記操作部材の前記操作端が回動されると、前記押出部材が当接する被押出部材と、当該回動部材から立設された停止部材とを備え、前記外枠は、前記回動阻止部として、前記外枠と前記中枠が施錠された際に、前記停止部材と対向する位置に切り欠きを備えており、前記回動部材が前記回動軸に係止されていない場合に、前記操作部材の前記操作端が回動されると、前記押出部材が前記被押出部材に接し、前記回動部材が回動され前記停止部材が前記切り欠きの背面に接するため、前記回動部材及び前記操作部材の回動が阻止されるため、前記鉤部材と前記表枠との係合を解除することができないことを特徴とする構成となっている。
【発明の効果】
【０００８】
請求項１に係る発明の遊技機では、取り付け板は、前記中枠の自由端側の背面に取り付けられており、支持板は当該取り付け板から立設されており、表枠施錠杆は、当該支持板に沿って配設されており、摺動することができる。また、支持板の操作部材は、支持板に平行に設けられ、回動可能に軸支され、一端に表枠施錠杵と当接する表枠施錠杆押部を有し、他端である操作端を上方に回動させることにより表枠施錠杵を下方へ摺動させることができる。そして、前記表枠施錠杆の鉤部材は、係合爪を設けており、前記取り付け板に設けられた開口部から表枠側に突出して前記表枠と係合することができる。そして、操作部材の回動部材は、操作部材に対して回動可能に軸支され、係止部材は  回動部材を係止することができる。また、外枠の回動阻止部は、回動部材が係止部材により回動軸の上方で係止されていない場合には、外枠と中枠とが施錠され、操作部材の操作端の上方への回動により表枠施錠杵が鉤部材と表枠との係合を解除する下方向へ移動された際に、回動部材が衝突し、回動部材及び操作部材の回動を阻止することができる。したがって、回動部材を係止させるか否かによって、表枠、中枠、外枠が閉じられている場合に、表枠の開錠を操作部材により行うことができるか否かを変更することができる。よって、遊技機の製造過程や遊技機のメンテナンス等においては、回動部材を回動軸の上方で係止させておき、鍵を使用しないで表枠の開錠を行えるようにし、遊技場に設置されて営業に供されている場合等には、不正が行われないように回動部材を係止させないでおき、鍵を用いなければ表枠の開錠ができないようにしておくことができ、その場その場の状況に合わせて簡単に鍵の使用不使用の設定をすることができる。
【０００９】
また、請求項２に係る発明の遊技機では、請求項１に記載の発明の効果に加えて、操作部材の押出部材は、係合爪側の一端に立設されており、前記回動部材の被押出部材は、前記係止部材により係止されていない場合に、前記操作部材の前記操作端が回動されると、前記押出部材に当接することができる。また、停止部材は当該回動部材から立設されている。また、前記外枠の切り欠きは、前記回動阻止部として、前記外枠と前記中枠が施錠された際に、前記停止部材と対向する位置にあり、前記回動部材が前記回動軸に係止されていない場合に前記操作部材の前記操作端が回動されると、前記押出部材が前記被押出部材に接し、前記回動部材が回動され前記停止部材が前記切り欠きの背面に接するため、前記回動部材及び前記操作部材の回動が阻止されるため、前記鉤部材と前記表枠との係合を解除することができない。したがって、操作部材が表枠を開錠する方向へ動かされても、回動部材が係止されていれば、操作部材の押出部材が、回動部材の被押出部材に当たり、回動部材を回動させるが、回動部材の停止部材が外枠の回動阻止部に当たって回動部材がそれ以上回動することができなくなり、さらには操作部材もそれ以上回動することができなくなるので、表枠の表枠施錠杆の鉤部材の係合爪の係合が表枠から解除されることはできない。また、回動阻止部を外枠に設けた切り欠きとしているので、外枠に阻止用の部材を取り付けるよりも外枠の加工がしやすく、阻止用の部材を取り外されて機能しなくなる心配もない。
【発明を実施するための最良の形態】
【００１０】
以下、本発明の実施の形態を図面を参照して以下の順で説明する。まず、図１乃至図５を参照して、本発明の遊技機であるパチンコ機１について説明する。図１は、パチンコ機１の表枠１２及び中枠１１が開いた状態を前面から見た斜視図であり、図２は、パチンコ機１の背面図の左上部分の部分図であり、図３は、パチンコ機１の図２の一点鎖線Ａ−Ａ’における矢視方向の断面図である。図４は、施錠装置９の正面図であり、図５は、その左上部からの斜視図である。
【００１１】
図１に示すように、パチンコ機１は、外枠１０と、その正面視左側で軸支された中枠１１と、表枠１２等から構成されており、表枠１２と中枠１１とが閉じられ、中枠１１と外枠１０とが閉じられるように構成させている。外枠１０は、パチンコ機１を遊技機設置島に固定するためのものである。また、中枠１１には、パチンコ機１の本体１３及び遊技盤２がはめ込まれている。尚、表枠１２は、透明なガラス板１２ｂを保持し、遊技盤２の前面を保護のため覆っている。
【００１２】
この遊技盤２は略正方形であり、中枠１１の上半分の部分に設けられている。そして、本体１３は、パチンコ機１の制御を司る種々の基板、図示外の発射機に遊技球を供給し、賞品球を受ける上皿５、賞品球を受ける下皿６、発射機を操作して遊技球を遊技領域４へ発射するための発射ハンドル７等で構成されており、遊技盤２の背面に各種基板が設置され、遊技盤２の下方部に上皿５が設けられ、上皿５の直下に下皿６が設けられ、下皿６の右横に発射ハンドル７が設けられている。また、中枠１１の自由端側部１１ａの上皿５の右側には鍵穴７５が設けられており、この鍵穴７５の背面にはシリンダ錠７０（図２参照）が設けられている。尚、パチンコ機１の背面に設置された基板は、樹脂製の透明な板材からなるセンターカバー８０や基板ボックス８１で保護されている。また、遊技盤２には、ガイドレール３で囲まれた略円形の遊技領域４が設けられていおり、発射ハンドル７を操作することにより発射された遊技球がガイドレール３に導かれて遊技領域４へ侵入し、流下するようになっている。また、センターカバー８０の上部には、遊技機設置島から供給される遊技球を貯留する遊技球タンク８４が設けられている。
【００１３】
また、図２及び図３に示すように、中枠１１のパチンコ機１の自由端側部１１ａには、その背面に沿って取り付け板１５が取り付けられており、その取り付け板１５には支持板１６が立設している。そして支持板１６には、表枠施錠杆２０及び外枠施錠杆３０が設けられている。尚、支持板１６の取り付け板１５が立設しているのと反対側の一端には、センターカバー８０を取り付けるためのセンターカバー取り付け板１７が、取り付け板１５と反対の方向に立設している。
【００１４】
表枠施錠杆２０は細長い板状であり、支持板１６の縦方向に略平行に設置され、上部及び中央部やや下寄りに２つの表枠用鉤部材２１ａ，２１ｂが設けられている（図８参照）。上の表枠用鉤部材２１ａは、表枠施錠杆２０の上部のパチンコ機１の正面側の一端から、パチンコ機１の正面側に向かって延設されており、その先端部は、上辺から略垂直の立ち上がりが設けられて、先端に向かって下降する略垂直三角形形状となっており、表枠係合部２９ａと係合するための鉤が形成されている。また、下の表枠用鉤部材２１ｂは、表枠施錠杆２０の中央部のやや下方の、パチンコ機１の正面側の一端から、パチンコ機１の正面側に向かって延設されており、表枠用鉤部材２１ａと同様の形状で鉤が形成されている。そして、表枠用鉤部材２１ａ，２１ｂは取り付け板１５に設けられた開口部１５１ａ，１５１ｂ（図５参照）に挿入され、中枠１１の開口部を貫通してパチンコ機１の正面側に突出している。尚、表枠施錠杆２０は細長い板状であるが、必要に応じて突起やカーブ、穴が設けられている。
【００１５】
そして、表枠１２のパチンコ機１の自由端側部分１２ａの背面には、表枠１２と中枠１１とが閉じられた状態で、表枠用鉤部材２１ａ，２１ｂと対向する位置に表枠係合部２９ａ，２９ｂが設けられている。この表枠係合部２９ａ，２９ｂは、表枠１２からパチンコ機１の正面視左側へ立設された金属片である。そして、表枠１２と中枠１１とが閉じられる際には、表枠用鉤部材２１ａと表枠係合部２９ａとが係合し、表枠用鉤部材２１ｂと表枠係合部２９ｂとが係合する。
【００１６】
また、外枠用施錠杆３０も細長い板状であり、支持板１６の縦方向に略平行に設置され、上部及び下部に２つの外枠用鉤部材３１ａ，３１ｂが設けられている。図４、図５に示すように、上の外枠用鉤部材３１ａは、長手方向が横、短手方向が縦の略長方形の板状であり、上部の一端側の角が緩やかなカーブで切り落とされている。そして、上辺のカーブの始点から垂直方向に下り、カーブを描いていない側の一端へ向かって斜めに立ち上がる略垂直三角形を成す切り欠きが設けられ、カーブを描いている側の一端が外枠用係合部３９ａと係合するための鉤が形成されている。そして、鉤が形成されているのと反対側の一端がビス３２ａで外枠施錠杆３０に回動可能に取り付けられており、外枠用鉤部材３１ａの略中央部の上寄りの位置がビス３３ａで回動可能に支持板１６に取り付けられている。また、下の外枠用鉤部材３１ｂも上の外枠用鉤部材３１ａと同様の形状をしており、鉤が形成されているのと反対側の一端がビス３２ｂで外枠施錠杆３０に回動可能に取り付けられており、外枠用鉤部材３１ｂの略中央部の上寄りの位置がビス３３ｂで回動可能に支持板１６に取り付けられている。尚、外枠施錠杆３０は細長い板状であるが、必要に応じて突起やカーブ、穴が設けられている。
【００１７】
また、外枠１０のパチンコ機１の自由端側部分１０ａの内側には、外枠１０と中枠１１とが閉じられた状態で、外枠用鉤部材３１ａ，３１ｂと対向する位置に外枠係合部３９ａ，３９ｂが設けられている。この外枠係合部３９ａ，３９ｂは略長方形の金属片であり、自由端側部分１０ａの内側の面から立設されている。そして、外枠１０と中枠１１とが閉じられる際には、外枠用鉤部材３１ａと外枠係合部３９ａとが係合し、外枠用鉤部材３１ｂと外枠係合部３９ｂとが係合する。
【００１８】
また、図２乃至図４に示すように、支持板１６の略中央部には、本発明の要部である操作部材５０及び回動部材６０とが設けられている。この操作部材５０及び回動部材６０については、図６を参照して後述する。
【００１９】
ここで、図１、図４及び図５を参照して、中枠１１と外枠１０との施錠について説明する。中枠１１を外枠１０に閉じてゆくと、外枠用鉤部材３１ａ，３１ｂの先端部が外枠係合部３９ａ，３９ｂに当たる。そして、さらに中枠１１が外枠１０に向けて閉じられると、外枠係合部３９ａ，３９ｂの下部に外枠用鉤部材３１ａ，３１ｂの上部のカーブが接しながら移動し、外枠用鉤部材３１ａ，３１ｂと外枠係合部３９ａ，３９ｂとが係合する。また、鍵７６を鍵穴７５へ挿入し、パチンコ機１の正面視右方向に回転させると、外枠用爪７２が上方向へ回動し、外枠施錠杆３０が上方向へ移動するので、ビス３２ａ，３２ｂも上方向へ移動することにより、外枠用鉤部材３１ａ，３１ｂの先端部が下方向へ移動するため、外枠係合部３９ａ，３９ｂとの係合が解除される。
【００２０】
次に、図５乃至図１１を参照して、中枠１１と表枠１２との施錠について説明する。図６は、操作部材５０及び回動部材６０とその近傍の表枠施錠杆２０の斜視図である。図７は、施錠装置９の外枠施錠杆３０及び外枠用鉤部材３１を取り除いた取り付け板１５及び支持板１６の右側面図であり、図８は、施錠装置９の外枠施錠杆３０及び外枠用鉤部材３１を取り除き、操作部材５０を上部に移動させている場合の取り付け板１５及び支持板１６の右側面図である。図９は、回動部材６０を回動軸の上部に係止させた状態の操作部材５０及び回動部材６０部分の右側面図の拡大図である。また、図１０は、パチンコ機１の図２の一点鎖線Ｂ−Ｂ’における矢視方向の断面図であり、図１１は、操作部材５０を上部に係止させている場合の図２のパチンコ機１の一点鎖線Ｂ−Ｂ’における矢視方向の断面図である。
【００２１】
図５、図７乃至図９に示すように、支持板１６に操作部材５０及び回動部材６０がビス６９により回動可能に取り付けられている。また、縦長板状の表枠施錠杆２０には、上端部に表枠用鉤部材２１ａが設けられており、中央部のやや下に表枠用鉤部材２１ｂが設けられている。また、表枠施錠杆２０の中央部にはバネ２５を上向きに係止するための表枠側バネ係止部２４が設けられている。また、外枠施錠杆３０の上端部から３分の１付近にバネ２５を下向きに係止するための外枠側バネ係止部３４が設けられている。そして、バネ２５が外枠側バネ係止部３４から吊り下げられ、表枠側バネ係止部２４に係止されることにより、表枠施錠杆２０が摺動可能に配設されている。また、鍵７６を鍵穴７５へ挿入し、パチンコ機１の正面視左方向に回転させると、表枠用爪７１が下方向へ回動し、表枠施錠杆２０が下方向へ移動するようになっており、これにより表枠用鉤部材２１ａ，２１ｂの先端部が下方向へ移動し、表枠係合部２９ａ，２９ｂとの係合が解除されるように構成されている。
【００２２】
次に、図５乃至図８を参照して、本発明の要部である操作部材５０及び回動部材６０について説明する。図５に示すように、支持板１６の略中央部が表枠施錠杆２０の高さまで隆起しており、その隆起部１６２に操作部材５０がビス６９により回動可能に留められている。そして、図６に示すように、操作部材５０は、ビス６９で留められている軸部の背面側に、操作時につまむためのツマミ５１を有している。また、ツマミ５１の他端部の上部の軸寄りの位置には、パチンコ機１の正面視右側に立設した回動部材受部５３が設けられている。また、ツマミ５１の他端部の先端の上部寄りの半分は、パチンコ機１の正面視左側に立設した表枠施錠杆押部５２が設けられている。また、ツマミ５１の他端部下部は、パチンコ機１の正面視右側に立設した押出部材５４が設けられている。さらに、ツマミ５１の軸寄り、上部寄りには回動部材６０を係止するための突起５５が設けられている。
【００２３】
図７に示すように、この操作部材５０の表枠施錠杆押部５２は、表枠施錠杆２０に設けられた突出部２６の上部に交差するように配置されている。そして、ツマミ５１を上方向に動かして操作部材５０を回動させると、ツマミ５１の他端側にある表枠施錠杆押部５２は下方へ移動する。すると、表枠施錠杆押部５２により突出部２６が下方へ押し下げられて、図８に示すように、表枠施錠杆２０は下方へ移動する。このようにして操作部材５０を操作することにより、表枠用鉤部材２１ａ，２１ｂと表枠１２の表枠係合部２９ａ，２９ｂとの係合が解除され、表枠１２が中枠１１から開かれる。
【００２４】
また、図６に示すように、操作部材５０が支持板１６にビス６９で留められている軸位置には、回動部材６０もビス６９により回動可能にとめられている。つまり、支持板１６の上に操作部材５０、その上に回動部材６０が載せられて、ビス６９により留められている。この回動部材６０は、ビス６９で留められている軸の一方向（図６に示す下側）に基部６１を有している。そして、基部６１の軸側のパチンコ機１の正面側には、操作部材５０の押出部材５４に対向して被押出部材６４が延設されている。また、基部６１のパチンコ機１の正面側には、停止部材６２がパチンコ機１の正面視右側に立設されている。
【００２５】
ここで、操作部材５０のツマミ５１を上方向に動かして操作部材５０を回動させた際の、回動部材６０の動きについて説明する。ツマミ５１を上方向に動かして操作部材５０を回動させると、ツマミ５１の他端側にある押出部材５４は下方へ回動する。そして、対向している被押出部材６４に当接し、回動部材６０をパチンコ機１の背面方向へ回動させる。
【００２６】
ここで、中枠１１と外枠１０とが閉じられている場合に、操作部材５０のツマミ５１を上方向に動かして操作部材５０を回動させた場合を考える。そこで、まず図１を参照して、外枠１０の自由端側部分１０ａにおいて操作部材５０に対向する位置に設けられた切り欠き部１１１について説明する。外枠１０の自由端側部分１０ａは略四角柱の柱形状となっている。そして、自由端側部分１０ａにおいて操作部材５０に対向する位置は、正面部分の横幅の左側約４分の３、外枠１０の高さの約６分の１程度の高さが切り欠き部１１１となっている。切り欠き部１１１の上部の約４分の３は、外枠１０の奥行きの約２分の１程度まで切り取られ、切り欠き部１１１の下部の残りの約４分の１は、外枠１０の奥行きの約４分の１程度まで切り取られている。尚、以下、上部約４分の３の奥行き約２分の１程度まで切り取られている切り欠き部分を深い切り欠き部１１１ａと呼び、下部約４分の１の奥行き約４分の１程度まで切り取られている切り欠き部分を浅い切り欠き部１１１ｂと呼ぶこととする。さらに、深い切り欠き部１１１ａの正面に向かった面（深い切り欠き部１１１ａの背面）を壁１１２ａ、浅い切り欠き部１１１ｂの正面に向かった面（浅い切り欠き部１１１ｂの背面）を阻止壁１１２ｂと呼ぶこととする。
【００２７】
そして、この外枠１０と中枠１１とが閉じられている際の、パチンコ機１の背面側から見た外枠１０と回動部材６０との位置関係は、図２に示すように、停止部材６２の先端のみが外枠１０と重なる程度であり、表枠施錠杆２０や操作部材５０、他の回動部材６０と外枠１０とは重ならない様になっている。また、外枠１０と中枠１１とが閉じられている際の、パチンコ機１の右面から見た外枠１０と回動部材６０との位置関係は、図１１に示すように、停止部材６２が浅い切り欠き部１１ｂに位置している。
【００２８】
したがって、中枠１１と外枠１０とが閉じられている場合に、操作部材５０のツマミ５１を上方向に動かして操作部材５０を回動させると、操作部材５０の押出部材５４が被押出部材６４に当接し、被押出部材６４を押し出すが、被押出部材６４は阻止壁１１２ｂに当接するため、それ以上回動部材６０をパチンコ機１の背面方向へ回動させことができない。つまり、回動部材６０がビス６９の下方に下りている場合には、操作部材５０を操作しても表枠１２を開くことはできない。
【００２９】
しかしながら、図９及び図１０に示すように、回動部材６０を回動部材６０の回動軸であるビス６９の上方に係止することができる。回動部材６０を背面方向に回動させ、ビス６９の上方まで持ってくると、基部６１の被押出部材６４と反対側の一端が操作部材５０の回動部材受部５３に当接する。よって、回動部材６０が重力にしたがって、パチンコ機１の正面側からビス６９の下方へ回り込むことはない。また、ツマミ５１に設けられた突起５５に、被押出部材６４の基部６１から延設される付け根の角が係止するため、回動部材６０が背面側からビス６９の下方へ回り込むこともない。尚、回動部材６０をビス６９の上方へ回動させるためには、突起５５を越える必要があるので、回動部材６０は可撓性のある素材で作られていることが望ましい。
【００３０】
そして、回動部材６０がビス６９の上方に係止されている場合において、外枠１０と中枠１１とが閉じられている際の、パチンコ機１の右面から見た外枠１０と回動部材６０との位置関係は、図１０に示すように、停止部材６２は壁１１２ａには接していない。これは、深い切り欠き部１１１ａよりも浅い切り欠き部１１１ｂの方が切り欠きが浅く、回動部材６０がビス６９の下方にある際に停止部材６２が対面する、浅い切り欠き部１１１ｂの阻止壁１１２ｂが、回動部材６０がビス６９の上方にある際に停止部材６２が対面する、深い切り欠き部１１１ａの壁１１２ａよりも、パチンコ機１の正面に対して手前の位置にあるためである。そこで、操作部材５０のツマミ５１を上方向に動かして操作部材５０を回動させても、停止部材６２は外枠１０のいずれの場所にも当接することがないため、ツマミ５１を上方向に動かして操作部材５０を回動させると、表枠施錠杆押部５２が下方へ移動し、突出部２６が下方へ押し下げられることにより、表枠施錠杆２０が下方へ移動して、表枠用鉤部材２１ａ，２１ｂと表枠１２の表枠係合部２９ａ，２９ｂとの係合が解除され、表枠１２を中枠１１から開くことができる。
【００３１】
したがって、回動部材６０を回動部材６０の回動軸であるビス６９の上方に係止させておけば、従来の遊技機のように鍵７６を使用することなく表枠１２を開くことができる。しかし、回動部材６０をビス６９の上方に係止させずにおけば、外枠１０の切り欠き部１１１の阻止壁１１２ｂに停止部材６２が当接することにより、操作部材５０の回動が阻止されるため、表枠施錠杆２０の下方への移動も阻止されて、表枠用鉤部材２１ａ，２１ｂと表枠１２の表枠係合部２９ａ，２９ｂとの係合の解除が行われることはないので、表枠１２を中枠１１から開くことができない。よって、遊技場の営業中には、遊技者により不正に表枠１２を開かれることがないように、回動部材６０をビス６９の上方に係止させないでおき、パチンコ機１のメンテナンスを行う際やパチンコ機１の出荷時に遊技機製造会社において作業をする際には、回動部材６０をビス６９の上方に係止させておくように、状況に合わせて回動部材６０の位置を変更することができる。
【００３２】
尚、上記実施の形態のツマミ５１が操作部材の「操作端」に該当し、突起５５が「係止部材」に該当する。また、開口部１５１ａ，１５１ｂが「開口部」に該当し、外枠１０の切り欠き部１１１が「回動阻止部」に該当し、阻止壁１１２ｂが「切り欠きの背面」に該当する。
【００３３】
尚、本発明は、以上詳述した実施の形態に限定されるものではなく、種々の変更が可能である。以下に、本発明を適用する実施の形態の変形例について説明する。本実施の遊技機はパチンコ機に限られず、パチコン機、パチスロ機等の各種の遊技機に適用可能である。
【００３４】
また、上記実施の形態のパチンコ機１では、表枠施錠杆２０の表枠用鉤部材２１ａ，２１ｂは上向きの爪であるが、下向きの爪であってもよい。尚、下向きの爪である場合には、表枠施錠杆２０が上部に移動すると、表枠用鉤部材２１ａ，２１ｂと表枠係合部２９ａ，２９ｂとの係合が解除される。そこで、上記実施の形態では、操作部材５０の表枠施錠杆押部５２が、表枠施錠杆２０の突出部２６を押し下げることにより、表枠用鉤部材２１ａ，２１ｂと表枠係合部２９ａ，２９ｂとの係合を解除しているが、下向きの爪である場合には、操作部材５０の表枠施錠杆押部５２が、表枠施錠杆２０の突出部２６を押し挙げるように、表枠施錠杆押部５２の上部に突出部２６が配置されるような形状とし、操作部材５０のツマミ５１を下方へ回動させるようにする。また、表枠施錠杆２０に開口部を設けて、その開口部に表枠施錠杆押部５２が挿入されている状態として、表枠施錠杆押部５２が開口部の内側の辺に当接して、押し上げたり、押し下げたりするようにしてもよい。
【００３５】
また、上記実施の形態では、「回動阻止部」として外枠１０の自由端側部分１０ａに切り欠き部１１１を設けて、回動部材６０の停止部材６２の回動を阻止しているが、回動部材６０の回動を阻止する部材は、外枠１０に切り欠き（凹部）を設けるのではなく、外枠１０の自由端側部分１０ａに凸部を設け、回動部材６０が当接するような阻止部材を設置して「回動阻止部」としてもよい。
【産業上の利用可能性】
【００３６】
本発明の遊技機はパチンコ機に限られず、パチコン機、パチスロ機等の各種の遊技機に適用可能であり、さらには、不正に開放されることを防止したい扉を備えた装置やケース等にも適用可能である。
【図面の簡単な説明】
【００３７】
【図１】パチンコ機１の表枠１２及び中枠１１が開いた状態を前面から見た斜視図である。
【図２】パチンコ機１の背面図の左上部分の部分図である。
【図３】パチンコ機１の図２の一点鎖線Ａ−Ａ’における矢視方向の断面図である。
【図４】施錠装置９の正面図である。
【図５】施錠装置９の背面側左上部からの斜視図である。
【図６】操作部材５０及び回動部材６０とその近傍の表枠施錠杆２０の斜視図である。
【図７】施錠装置９の外枠施錠杆３０及び外枠用鉤部材３１を取り除いた取り付け板１５及び支持板１６の右側面図である。
【図８】施錠装置９の外枠施錠杆３０及び外枠用鉤部材３１を取り除き、操作部材５０を上部に移動させている場合の取り付け板１５及び支持板１６の右側面図である。
【図９】回動部材６０を回動軸の上部に係止させた状態の操作部材５０及び回動部材６０部分の右側面図である。
【図１０】パチンコ機１の図２の一点鎖線Ｂ−Ｂ’における矢視方向の断面図である。
【図１１】操作部材５０を上部に係止させている場合の図２のパチンコ機１の一点鎖線Ｂ−Ｂ’における矢視方向の断面図である。
【図１２】従来の遊技機の一種であるパチンコ機１００の表枠１２及び中枠１１が開いた状態を前面から見た斜視図である。
【符号の説明】
【００３８】
１ パチンコ機
１０ 外枠
１０ａ 自由端側部分
１１ 中枠
１１ａ 自由端側部
１２ 表枠
１２ａ 自由端側部分
１５ 取り付け板
１６ 支持板
２０ 表枠施錠杆
２４ 表枠側バネ係止部
２６ 突出部
２９ 表枠係合部
３０ 外枠施錠杆
３１ 外枠用鉤部材
３９ 外枠係合部
５０ 操作部材
５１ ツマミ
５２ 表枠施錠杆押部
５３ 回動部材受部
５４ 押出部材
５５ 突起
６０ 回動部材
６１ 基部
６２ 停止部材
６４ 被押出部材
６９ ビス
８０ センターカバー
８１ 基板ボックス
８４ 遊技球タンク
１１１ 切り欠き部
１１１ａ 深い切り欠き部
１１１ｂ 浅い切り欠き部
１１２ｂ 阻止壁
【図１】
2005168591.tif 000003
【図２】
2005168591.tif 000004
【図３】
2005168591.tif 000005
【図４】
2005168591.tif 000006
【図５】
2005168591.tif 000007
【図６】
2005168591.tif 000008
【図７】
2005168591.tif 000009
【図８】
2005168591.tif 000010
【図９】
2005168591.tif 000011
【図１０】
2005168591.tif 000012
【図１１】
2005168591.tif 000013
【図１２】
2005168591.tif 000014